(57)【特許請求の範囲】
【請求項１】
建物の床面上に開口部を形成する上枠及び両縦枠から成る３方枠体に設けられるとともに、前記開口部の幅方向及び縦方向にそれぞれ所定長さを有し且つ当該開口部の前後方向に所定厚さを有する開閉用の扉体を備えたスライド・スイング式ドア装置において、
前記扉体を、前記３方枠体の一方の縦枠の前記開口部の側の側面に沿って配置され且つ前記上枠及び床面の間に回転可能に支持された回転堅柱と、前記回転堅柱に隣接して前記上枠と床面との間で回転可能に支持され且つドア閉時には前記回転堅柱の外観形状と一体化させた外観形状を有するドアパネルとで形成し、
前記回転堅柱を、当該回転堅柱の前記縦方向の上端及び下端それぞれの面の前記前後方向の中心位置であって前記幅方向で同じ位置にそれぞれ設けられた回転軸を介して前記上枠及び床面との間に回転可能に支持させる一方で、
前記回転堅柱の上端部に一端が剛結され且つ前記ドアパネルの上端面の所定位置に他端を回転自在に取り付けた回転吊りアームと、前記回転堅柱の下端部に一端が剛結され且つ前記ドアパネルの下端面の所定位置に他端を回転自在に取り付けた回転下部アームと、前記上枠と前記ドアパネルおよび回転堅柱との間に前記開口部の幅方向に沿って設けた吊りレールと、前記ドアパネルを前記吊りレールに沿ってスライド自在に吊持する吊り車とを備えたことを特徴とするスライド・スイング式ドア装置。
【請求項２】
請求項１記載の発明において、
前記回転堅柱を、前記ドアパネルの少なくとも半分の荷重を保持可能な強度を持たせて形成するとともに、前記吊り車を、前記ドアパネルの少なくとも半分の荷重を保持可能な強度を持たせて形成したことを特徴とするスライド・スイング式ドア装置。
【請求項３】
請求項２記載の発明において、
前記回転堅柱と前記ドアパネルが一体化した外観形状として、当該回転堅柱及び当該ドアパネルの前記前後方向の厚さが前記所定厚さであって互いに同じであり、当該回転堅柱及び当該ドアパネルの前記縦方向の長さが前記所定長さであって互いに同じであることを特徴とするスライド・スイング式ドア装置。
【請求項４】
請求項２記載の発明において、
前記パネルの前記回転堅柱に対向する側面部の一方の角部をその縦方向全体に渡って切除し、この切除部に前記回転堅柱を配置したことを特徴とするスライド・スイング式ドア装置。
【請求項５】
請求項４記載の発明において、
前記縦枠に対して前記回転堅柱の長手方向の一部を当該回転堅柱が回動自在な状態で保持する中間ガイドを設けたことを特徴とするスライド・スイング式ドア装置。
【請求項６】
請求項３記載の発明において、
前記回転堅柱及び前記ドアパネルの互いの対向する側面同士がドア閉時につくる隙き間を、前記縦方向にわたって前記前後方向に非直線状になる形状又は前記幅方向に対して非直交する形状に形成したことを特徴とするスライド・スイング式ドア装置。
【請求項７】
請求項３記載の発明において、
前記ドアパネルと前記回転堅柱との間、および、そのパネルと前記枠体の回転堅柱とは反対側の縦枠との間を同時にロックおよびアンロック可能なマグネット構造の双頭の鍵を設けたことを特徴とするスライド・スイング式ドア装置。
【請求項８】
請求項３記載の発明において、
前記回転堅柱の上下端に前記回転吊りアーム及び前記回転下部アームを夫々固設した状態で当該回転堅柱を前記枠体及び床面に着脱自在に取り付けるピボット手段を備えたことを特徴とするスライド・スイング式ドア装置。
【請求項９】
請求項８記載の発明において、
前記回転吊りアームと前記回転下部アームの各々両端の前記回転竪柱及び前記ドアパネルへの取り付け位置は、この回転竪柱及びドアパネルそれぞれの前記前後方向の中心位置に一致していることを特徴とするスライド・スイング式ドア装置。
【発明の詳細な説明】
【０００１】
【発明の属する技術分野】
本発明は、開口部を開閉するドア装置に係り、とくに、ドアパネルをその幅（横）方向にスライドさせながらその前後方向にスイングさせて開閉するスライド・スイング式ドア装置に関する。
【０００２】
【従来の技術】
一般の住居用家屋やビルなどの建物や構造物において使用されるドア開閉の方式には種々のものがある。
【０００３】
これを開閉動作の様式から分類すると、スイング式、スライド式、折り畳み式、回転式などがある。スイング式は、ドアを成す１枚又は複数のパネル体を蝶番で固定された縦軸を中心に例えば９０°スイングさせる方式であり、スライド式は、パネル体をその横幅方向にスライドさせる方式である。さらに折り畳み式は、ドアを構成する複数のパネル体を折り畳みながら横幅方向の一方に移動させる方式である（例えば、実開平３−７４７８４号「折れ戸開閉装置」参照）。さらに回転式は、２枚の例えばガラスドアを互いに水車羽根状に交差させた構造体を回転させながら開閉させる方式である。これらの開閉方式はさらにそれぞれ、手動方式、自動方式に分類される。
【０００４】
上述した各種のドア開閉方式には一長一短があり、それぞれの用途に応じて使い分けられる。
【０００５】
スイング方式のドアは、比較的簡単なドア構造になるが、ドアを成すパネル体が一つの縦軸を中心にスイングする構造であるため、その開閉方向で１／４円分の空間を空けておく必要があり、この空間が無駄になることが多い。
【０００６】
またスライド方式のドアの場合、スイング方式のような無駄な空間は無くなるが、スライド移動されるパネル体自体を収納するスペースが必要で、この収納スペースを一般の住居用家屋では確保することは通常、難しく、この方式は住居用家屋では多用されていない。
【０００７】
さらに回転方式のドアは、その占有スペースが大きく、大形の建物には設置できるのが、一般家屋では殆ど不向きである。
【０００８】
さらに折畳み方式のドアは、上述したスイング方式、スライド方式の中間に位置するもので、パネル体の収納スペースを壁などの中に確保する必要はなく、また開閉移動するパネル体が占有するスペースもドア出入り方向に出っ張らないので、一般家屋でも昨今多用される傾向にある。しかし、この折畳み方式のドアの場合、ドア開放時に複数のパネル体が折り重なった状態でドア横幅方向の一方に寄せられるため、人が通るための面積が減少してしまうという不都合がある。とくに、昨今の住宅事情を鑑みると、狭い空間を有効に利用してなるべく大きい通過面積を確保したい、とする要請がある。
【０００９】
このような状況に鑑みて、近年、スライド方式とスイング方式を併用した形式のスライド・スイング方式のドア装置が提供され始めている。このドア装置の第１の例は、ポールなどの支柱の上下端にスライドおよびスイング用のアームまたは蝶番の一方の支軸をそれぞれ取り付け、このアームまたは蝶番のもう一方の支軸をドアパネル（パネル体）の上端面および下端面にそれぞれ取り付ける一方で、ドアパネル上端面に吊り車（例えば６輪吊り車）の支軸を取り付け、この吊り車を開口部上部の吊りレールに沿わせるという構造のものである。
【００１０】
また、第２の例として、上述した第１の例に係る構造の内、ドアパネルの下端に取り付けるアームまたは蝶番をスライドおよびスイング動作を補助する目的で簡易な構造のアームとし、その代わりに床面にガイドレールを設置し、このガイドレールにドアパネル下端面に設けるガイドを沿わせるという構造のものも知られている。
【００１１】
さらに、第３の例として、開口部を画成する枠体自体の側柱の上下端に上述したアームまたは蝶番を取り付ける構造のもの知られている。この範疇に入る構造例として近年提案されているのは、上述した吊りレールおよび吊り車から成る吊り構造を採用するとともに、開口部を形成する枠体の側壁または側柱自体の上部所定位置とドアパネルの上端面所定位置との間にスライド・スイング用蝶番を取付け且つドアパネル下端側に補助的なスライド・スイング用アームを取り付けるとともに、上述した床面ガイドレール構造を併用した構造のものも提案されている。
【００１２】
【発明が解決しようとする課題】
しかしながら、上述した従来のスライド・スイング式ドア装置にあっては、美観的側面、ドア設置工事および保守の容易さ、さらには使い勝手などの面から不満があった。
【００１３】
例えば、上述した第１の例に係るポールなどの支柱を用いるドア構造の場合、この支柱をそのまま露出することは美観を損なうので、この支柱を隠蔽するために袖壁を作などの余分な工事が必要であり、設置コストを上昇させていた。
【００１４】
また、第２および第３の例に係るドア構造の場合、床面にガイドレールを敷設する必要があるので、昨今の傾向であるバリアフリー化の要請に応じることができない。とくに、車椅子の利用者や高齢者にとって、床面にガイドレールがあると走行し難いものになる。高齢化社会においては自宅で車椅子を使用する人も増えることが予想されるが、そのような場合にガイドレールの存在は歓迎されない。
【００１５】
加えて、床面に敷設したガイドレールには、塵や埃がたまり易く、掃除の手間を増やすとともに、埃や塵がスムーズなドア開閉を阻害することもある。勿論、そのようなガイドレールは美観的にも優れているとは言い難い。
【００１６】
さらに、第３の例のように、開口部を形成する枠体の側壁または側柱にスライド・スイング用蝶番を直接取り付ける構造にあっては、枠体の立て付けの経年変化などに因る歪みの影響を受け易いという問題もある。また、ドアパネルの脱着が面倒であり、位置合わせの要素が多いことから、保守作業の手間も増える。
【００１７】
またドア装置全体に求められる昨今の傾向として、仕切り性（密閉性、遮音性）、開閉時の操作性、開閉に要するドアスペースのコンパクト化など、ドアの機能そのもののほか、ドアがその周囲の構造体と美観上、極力、マッチしていることが市場的に強く求められている。スライド・スイング式のドア装置とて例外ではなく、例えば蝶番など、ドアパネル以外の開閉に要する機構の存在を極力目立たなくする必要がある。
【００１８】
本発明は、このような従来のドア装置が直面している状況に鑑みてなされたもので、ドア機能として本来的に求められている良好な仕切り性、開閉操作の容易化、開閉に要するドアスペースのコンパクト化、装置全体のコンパクト化に加え、立て付け工事や保守が容易であり、バリアフリー化して使い勝手にも優れたスライド・スイング式ドア装置を提供することを、その第１の目的とする。
【００１９】
また本発明は、上述した第１の目的に加え、蝶番や開閉機構の存在が目立つこと無く、ドアパネルがその周囲の構造体に対し美観的に極力、調和する等、ドア装置全体としての体裁上の価値を高めたスライド・スイング式ドア装置を提供することを、その第２の目的とする。
【００２０】
【課題を解決するための手段】
上記目的を達成させるため、本発明に係るスライド・スイング式ドア装置は、建物の床面上に開口部を形成する上枠及び両縦枠から成る３方枠体に設けられるとともに、前記開口部の幅方向及び縦方向にそれぞれ所定長さを有し且つ当該開口部の前後方向に所定厚さを有する開閉用の扉体を備える。この扉体を、前記３方枠体の一方の縦枠の前記開口部の側の側面に沿って配置され且つ前記上枠及び床面の間に回転可能に支持された回転堅柱と、前記回転堅柱に隣接して前記上枠と床面との間で回転可能に支持され且つドア閉時には前記回転堅柱の外観形状と一体化させた外観形状を有するドアパネルとで形成し、前記回転堅柱を、当該回転堅柱の前記縦方向の上端及び下端それぞれの面の前記前後方向の中心位置であって前記幅方向で同じ位置にそれぞれ設けられた回転軸を介して前記上枠及び床面との間に回転可能に支持させる。その一方で、本ドア装置は、前記回転堅柱の上端部に一端が剛結され且つ前記ドアパネルの上端面の所定位置に他端を回転自在に取り付けた回転吊りアームと、前記回転堅柱の下端部に一端が剛結され且つ前記ドアパネルの下端面の所定位置に他端を回転自在に取り付けた回転下部アームと、前記上枠と前記ドアパネルおよび回転堅柱との間に前記開口部の幅方向に沿って設けた吊りレールと、前記ドアパネルを前記吊りレールに沿ってスライド自在に吊持する吊り車とを更に備える。
【００２１】
とくに、前記回転堅柱を、前記ドアパネルの少なくとも半分の荷重を保持可能な強度を持たせて形成するとともに、前記吊り車を、前記ドアパネルの少なくとも半分の荷重を保持可能な強度を持たせて形成することが望ましい。
【００２２】
また、前記回転堅柱と前記ドアパネルが一体化した外観形状として、当該回転堅柱及び当該ドアパネルの前記前後方向の厚さが前記所定厚さであって互いに同じであり、当該回転堅柱及び当該ドアパネルの前記縦方向の長さが前記所定長さであって互いに同じであることが望ましい。
【００２３】
また、好適には、前記パネルの前記回転堅柱に対向する側面部の一方の角部をその縦方向全体に渡って切除し、この切除部に前記回転堅柱を配置する構成を採る。このとき、例えば、前記縦枠に対して前記回転堅柱の長手方向の一部を当該回転堅柱が回動自在な状態で保持する中間ガイドを設けてもよい。
【００２４】
さらに好適には、前記回転堅柱及び前記ドアパネルの互いの対向する側面同士がドア閉時につくる隙き間を、前記縦方向にわたって前記前後方向に非直線状になる形状又は前記幅方向に対して非直交する形状に形成することである。
【００２５】
また、別の好適な態様は、前記ドアパネルと前記回転堅柱との間、および、そのパネルと前記枠体の回転堅柱とは反対側の縦枠との間を同時にロックおよびアンロック可能なマグネット構造の双頭の鍵を設けることである。
【００２６】
さらに、前記回転堅柱の上下端に前記回転吊りアーム及び前記回転下部アームを夫々固設した状態で当該回転堅柱を前記枠体及び床面に着脱自在に取り付けるピボット手段を備える、ことも好適な態様の１つである。
【００２７】
さらに、前記回転吊りアームと前記回転下部アームの各々両端の前記回転竪柱及び前記ドアパネルへの取り付け位置は、この回転竪柱及びドアパネルの前後方向の中心位置に一致させることも好適な態様の１つである。
【００２８】
【発明の実施の形態】
以下、本発明の実施形態を添付図面に基づき説明する。
【００２９】
（第１の実施形態）
第１の実施形態を図１〜図１１に基づき説明する。
【００３０】
この実施形態にかかるドア装置は、１枚のドアパネルを使用し、このドアパネルを並行してスライド動作及びスイング動作させるスライド・スイング方式（手動方式）を採用している。なお、以下の説明において、ドアパネルを開閉する開口部の横幅方向を単に「幅方向」と、開口部の縦（上下）方向を単に「縦方向」と、開口部の開口面に直交する方向を単に「前後方向」と称し、それぞれ、図１に表したＸ，Ｙ，Ｚ軸の方向に対応させる。
【００３１】
図１に示すように、３方枠体１１および床面１２により部屋の出入り口を成す開口部ＯＰが画成される。３方枠体１１は、上枠１１ｕと、その両側の縦枠１１ｓ，１１ｓとが一体に形成されて成る。３方枠体１１の内側に、本実施形態に係るドア装置が取付けられる。
【００３２】
このドア装置は、支柱部分を一体化させた扉体１３と、この扉体１３をスライド・スイング可能に支持する支持機構とを備える。この支持機構は、吊りレール１４、上部ピボット１５、下部ピボット１６、６輪吊り車１７、回転吊りアーム１８、および回転下部アーム１９を含む。また、ドア装置は、室外側および室内側のドアノブ２０ａ，２０ｂ、ロック機構としての双頭の鍵２１、美観上、封止性の観点から設ける、両方の縦枠１１ｓに沿って位置する隙間用化粧柱２２、２３、および扉体１３および上枠１１ｕ間に位置する外カバー２４、内カバー２５（図４参照）をも備える。
【００３３】
３方枠体１１の上枠１１ｕは、図１に示すように、その幅方向の２／３以上の所定領域を一部切除し、この切除部分に吊りレール１４を埋め込んでいる。
【００３４】
本実施形態に係るドア装置の扉体１３は、従来から言われているドアパネルとそのドアパネルをスイング自在に支持する支柱部分とを美観的に一体化させたことを１つの特徴とする。ここで言う「一体化」は、少なくともドアパネルの厚さ（前後方向）、高さ（縦方向）などの形状を指す。これに加えて、表面色などの仕上げの調和も一体化の項目に入れてもよい。したがって、ドア閉時にはドアパネル本体と支柱部分とは殆ど１枚のドアパネルに見え、従来のように支柱部分を隠蔽する造作をすることもなく、美観上優れたものになる。
【００３５】
このドア装置において、扉体１３は、上記支柱部分としての回転堅柱３１と、ドアパネル３２（ドア体、戸体）とから成る。ドアパネル３２および回転堅柱３１は、互いにフラットな側面を所定間隔の隙間を介して１枚板状に併置させてなる一体化形状を有する。すなわち、ドアパネル３２および回転堅柱３２によってドア閉時には所定厚さを有する略長方形を成し、そのサイズは開口部ＯＰの矩形形状に適宜なマージンで収まるように形成されている。
【００３６】
この内、ドアパネル３２は開口部ＯＰを開閉する開閉体の主要部を成すもので、その幅方向の長さは開閉に十分なサイズに設定されている。ドアパネル３２の材質は本実施形態ではアルミなどの金属で形成されているが、後述するように、木材、樹脂、ガラスなど、適宜なものを使用できる。勿論、ドアパネルの中央にガラス面を入れることもできる。
【００３７】
回転堅柱３１は、上部の回転吊りアーム１８および回転下部アーム１９によりドアパネル３２をスイング可能に支持する機能を担うもので、その幅方向の長さは短めに設定されている。回転堅柱３１の材質はここではドアパネル支持の十分な剛性を得るため金属で形成しているが、必ずしもこれに限定されない。回転堅柱３１および回転吊りアーム１８がドアパネル３２からの吊り荷重に対して堅牢な構造であることが重要で、反りや歪みに耐えように設計される。かかる剛性を得ることができれば材質は問わないが、形状はドアパネルと一体化させている。表面塗装、仕上げ色、模様、面材なども両者で調和させることが望ましい。なお、ドアパネル３２の吊り荷重は回転吊りアーム１８（すなわち回転堅柱３１）および６輪吊り車１７により支持する２点支持構造になっている。
【００３８】
図１において、吊りレール１４の左端部内に上部ピボット１５が固設される一方、この上部ピボット１５の真下の対向する床面１２上に下部ピボット１６が埋設される。上部ピボット１５はピボット構造に構成され、その軸１５ａが回転堅柱３１の上端面の回転軸３１ａに脱着自在に連結される。この回転軸３１ａにはスペーサ３３を介して回転吊りアーム１８が剛結されている。一方、回転堅柱３１の下端面の回転軸３１ｂにはスペーサ３４を介して回転下部アーム１９が剛結されている。この回転軸３１ｂは下部ピボット１６に脱着自在に取り付けられる。両方の回転軸３１ａ，３１ｂは共に共通の支軸を形成するようにドア面内の縦方向に関して位置を合わせてある。
【００３９】
回転堅柱３１と回転吊りアーム１８および回転下部アーム１９の３者は溶接またはボルト等で固定したコ字状を成す一体構造になっている。このため、上部ピボット１５および下部ピボット１６を支点とした回転運動が両アーム１８、１９に狂い無く同時に伝達される。
【００４０】
回転下部アーム１９にはドアパネル３２の吊り荷重（垂直荷重）を掛けない構造であり、このアーム１９はスイング動作をスムーズに案内する機能を担う。このため、回転下部アーム１９は薄い鋼材でも十分、長年の使用に耐え得る。ただし、この回転下部アーム１９の厚さ自体は薄くても（数ミリ程度）、スイング動作に耐え得る十分な強度を有している。
【００４１】
回転下部アーム１９は図１、８および９に示すように、ドアパネル３２の回転支軸側であって室外側の端部を所定長さにわたって切除した直方体状の切除部３２ｃに収まるようになっている。切除部３２ｃの床面からの高さ（隙間）は約１０ｍｍに抑えられ、美観的に影響の無いように配慮されている。この切除部３２ｃは室内側からはブラインドになる。つまり室内側からみると、ドアパネル３２の下端面は一直線に伸びた体裁のよい構造を成し、且つ、床面１２とドアパネル３２との間の隙間Δｄは極めて小さい、数ミリ程度（例えば２、３ｍｍ）の値に設定できる。このため、床面１２との間の仕切り性が極めて良くなる。床面１２には勿論、従来のガイドレールのような溝体は敷設されない。
【００４２】
この結果、回転堅柱３１がドア面に垂直な面内でスイングすると、これと一体に回転吊りアーム１８および回転下部アーム１９もスイングする。
【００４３】
ドアパネル３２および回転堅柱３１は、吊りレール１４の真下の位置、すなわち回転吊りアーム１８の真下の位置にそれらのレール及びアームと前後方向の中心位置を合わせて設置される。
【００４４】
回転吊りアーム１８は、図６および図７に詳述するように、回転堅柱３１の上部の回転軸３１ａに一端を固設させた下側アーム１８ａと、この下側アーム１８ａの他端上側に固設された上側アーム１８ｂとの２段構造になっている。上側アーム１８ｂの先端部には上部吊り回転軸３５が下方に向かって回転自在に垂設され、この回転軸３５の下端側がドアパネル３２の上端面に固設されている。下側アーム１８ａと上側アーム１８ｂは、図７に示す如く、その長手方向の所定位置に配設された２本のボルト３６、３６により互いに剛結されている。このボルト３６、３６を挿入する孔３７は上側アーム１８ｂにおいて図示のように長孔状に穿設されている。
【００４５】
このため、２本のボルト３６、３６を緩めて上側アーム１８ｂの長手方向の位置を変えることで、回転吊りアーム１８全体の伸縮、すなわち回転軸１８ａおよび３５間の長さを微調整することができる。この長さは通常、回転堅柱３１およびドアパネル３２を合わせたドア幅の略１／３に設定されている。この１／３ずつの支点配置構造により、ドア開閉時に必要な力を必要最小限に止めることができる。
【００４６】
一方、回転下部アーム１９は上述したようにその一端が回転堅柱３１の下側の回転軸３１ｂに固設される。その一方で、回転下部アーム１９の他端部からは下部回転軸３８を上向きに垂設させ、この回転軸３８がドアパネル下端の切除部３２ｃの下面に埋設させた取付け板３９の孔に適宜なマージンで遊挿されている。
【００４７】
このため、ドアパネル３２と回転堅柱３１は、回転堅柱３１と一体に回転する回転吊りアーム１８および回転下部アーム１９を介して連結されるから、ドアパネル３２をスライド動作させると、その動きは回転吊りアーム１８および回転下部アーム１９によりスイングしながらスライド動作に変換される。
【００４８】
さらに、６輪吊り車１７は図５に示す如く吊りレール１４内に収容され、その長手方向に沿って自在に移動できるように配設されている。この６輪吊り車１７からは回動自在な車軸１７ａが垂下されている。この車軸１７ａはドアパネル３２の上端面の所定に固設されている。この固設位置も、回転堅柱３１とは反対側の側端部からみて、回転堅柱３１およびドアパネル３２を合わせたドア幅の略１／３に設定されている。この６輪吊り車１７は、少なくとも、ドアパネル３２の約半分の吊り荷重を支持できる強度を有している。ドアパネル３２の幅方向の移動に伴って、６輪吊り車１７も吊りレール１４内を摺動して移動し、ドアパネル３２のスライド動作を許容するとともに、車軸１７ａの回転がドアパネルパネル３２のスイング動作を許容する。
【００４９】
さらに、図２、４および５に示す如く、ドアパネル３２および回転堅柱３１と３方枠体１１の上枠１１ｕとの間の上述したスライド・スイング機構は、外カバー２４および内カバー２５により覆われており、その内部は殆ど見えないようにしてある。外カバー２４は上枠１１ｕに固設されている。内カバー２５は外カバー２４よりも厚めの板材であって、ドア開閉時に回転吊りアーム１８が約１／４周分回転するので、その長手方向の所定位置から分割された構成になっている。この内、一方の回転支軸側の分割カバー２５ａは回転吊りアーム１８に固設され、もう一方の分割カバー２５ｂは上枠１１ｕに固設されている。分割カバー２５ａ，２５ｂ同士はテーパ面を所定距離だけ離間させて対向させている（図２参照）。このテーパ面はカバーの横方向から隙間を見せないようにして美観を向上させる杜智に、封止性を上げるためである。
【００５０】
回転吊りアーム１８を２段式にしているため、その強度を確保しつつ、適度な空間を形成でき、この空間を利用して、上部ピボット１５の容易な脱着および６輪吊り車１７のドアパネル３２への取付け調整を行なうことができ、また、化粧用の外カバー２４を小さくできる。
【００５１】
ドアパネル１１の回転堅柱３１とは反対側の側端部寄りの所定高さ位置で、室外側、室内側の所定位置にノブ２０ａ、２０ｂ（図２、３参照）が取り付けられる。また、このノブと同じ程度の高さを有して、ロック機構としてマグネット構造の双頭の鍵２１が取り付けられている。
【００５２】
このマグネット構造の双頭の鍵２１は、このスライド・スイング式ドア装置の特徴を成す。通常のドアは、ドア取手のばね鍵でドア閉状態を保持するが、これを本スライド・スイング式ドア装置に適用することは可能ではあるが、好適な態様ではない。つまり、そのような取手側のみの片側の鍵構造では回転堅柱３１とドアパネル３２との間にはロックが効かないので、ロック時のセキュリティに不安を残す。また、このスライド・スイング式ドア装置の場合、３方枠体１１の上枠１１ｕの前後方向における中心位置に吊りレール１４を埋設してドアパネル３２を吊持構造であるため、ドア取手がばね構造の鍵を採用すると、鍵シャフト（ドアパネル側面からばねにより突出している）が３方枠体１１の縦枠１１ｓの表面を擦ってしまう。このような不都合を回避するには、図１０に示すマグネット構造の双頭の鍵２１が有効である。
【００５３】
この双頭の鍵２１は、２つのマグネット構造の鍵を連結している。図１０に示す如く、この鍵２１は、２つのマグネット構造の鍵５１、５２と、この鍵５１、５２にそれぞれ対向させて配置する鍵受けホルダ５３、５４と、２つの鍵５１、５２を連結する双頭連結シャフト５５とを備える。２つの鍵５１、５２および双頭連結シャフト５５はドアパネル３２内にその面内に沿って配置される（図１参照）。一方の鍵５１は回転堅柱３１のドアパネル端面に開口して配置され、もう一方の鍵はドアパネルのその反対側端面に開口して配置される。双頭連結シャフト５５は両方の鍵５１、５２間でその軸を移動可能に設置されている。また、鍵受けホルダ５３、５４の内、一方のホルダ５３は回転堅柱３１の側面に鍵５１に対向して設置され、もう一方のホルダ５４はその反対側の縦枠１１ｓの側面に鍵５２に対向して設置されている。
【００５４】
一方の鍵５１は、その鍵カバー６１内にハンドル回転シャフト６２を備え、その一方の上側アームに鍵シャフト（大）６３が取り付けられ、この鍵シャフト６３の先端にはマグネット６４が取り付けられている。鍵シャフト６３の先端部周囲にはマグネット復帰用のばね６５が取り付けられている。ハンドル回転シャフト６２の中心部にはハンドル取付け穴６６が穿設され、この取付け穴６６にハンドル６７が取り付けられている。ハンドル６６を図１０において反時計方向への回転時には、ハンドル回転シャフト６２の上述した上側アームは同図上で左側に回転移動し、下側アームは同図上で右側に回転移動する。ハンドル回転シャフト６２は、その回転移動を鍵シャフト６３の横方向変位に変換する構造になっている。
【００５５】
ハンドル回転シャフト６２の下側アームは略逆Ｌ字状の移動部材６８に連結しつつ、別の移動部材６９に連結されている。移動部材６８の一方の端部にはハンドル復帰ばね７０が取り付けられている。ハンドル回転シャフト６２の図１０上における反時計方向の回転は、移動部材６９の同図上での右横方向への変位に変換される。これと同時に、もう一方の移動部材６８も右横方向へ変位し、この移動部材６８にばね７０からそれまでよりも強い引っ張り力が作用する。
【００５６】
移動部材６９は、双頭連結シャフト５５の一端部を固定しつつ、ハンドル回転シャフト６２の反時計方向への回転に伴い、右横方向に変位する。双頭連結シャフト５５は別の移動部材６８に穿設した穴を遊挿状態で通って、もう一方の鍵５２方向に延出している。
【００５７】
もう一方の鍵５２は、その筒状の鍵カバー７１内に双頭連結シャフトホルダ７２を備え、このホルダ７２に双頭連結シャフト５５が一端側から、また鍵シャフト７３（小）が他端側からそれぞれ連結している。鍵シャフト７３の先端にはマグネット７４が取り付けられるとともに、その周囲にはマグネット復帰ばね７５が配置されている。また、双頭連結シャフトホルダ７２と鍵カバー７１との間には双頭シャフト用復帰ばね７６が配置されている。
【００５８】
さらに、回転堅柱３１側の鍵受けホルダの底部には別のマグネット７７（または金属片）が固設されている。反対側の縦枠１１ｓ側の鍵受けホルダの底部にもマグネット７８（または金属片）が固設されている。
【００５９】
このため、ハンドル６７は、アンロック時にはばね６４、７０、７１および７３のばね力が均衡してアックロック時の位置を保持している。この状態では、両方の鍵シャフト６３および７３の先端位置は共に鍵カバー６１および７１の面よりも幾分内側に退避している。このため、ドアパネル３２を閉めるときに、回転堅柱３１や縦枠１１ｓの側壁表面を擦ることもない。
【００６０】
この状態からドアが完全に閉まると、マグネット復帰ばね６５、７５に打ち勝つ磁力がマグネット６４および７４に生じる。つまり、一方の鍵シャフト６３は図１において左横方向に移動し、もう一方の鍵シャフト７３は右横方向に移動して、そのまま鍵受けホルダ５３および５４内に自動的に入り込み、この吸引力でロックされる。このロックは、ドアパネル３２の横方向両端部で同時に掛かるので、ドアパネルのロック状態でのぐらつきや不安性さが無くなり、確実なセキュリティが確保される。
【００６１】
解鍵するには、ハンドル６７を図１における時計方向に回せばよい。この手動の助力により、マグネットの吸引力によるロック状態から解放され、マグネット復帰ばね６５、７５の復帰力により元のアンロック位置まで戻される。
【００６２】
なお、このマグネット構造の双頭の鍵において、ロック時にも手動で操作できるように、マグネット構造およびその磁力を調整してもよい。
【００６３】
ドアを開くときには取っ手２０ａまたは２０ｂを手動で引いて又は押せばよい。これにより、図１１に示す如く、ドアパネル３２が回転堅柱３１側にスライドしながら、かつ前後方向にスイングしてドア開状態となる（同図の仮想線Ｉ参照）。反対に、ドアを閉めるときには、同図の仮想線ＩＩに示す経路でドア閉状態になる。
【００６４】
このように開閉するときのドアパネルの移動に伴う占有スペースは、通常のスイングドアに比べて小さくて済む。したがって、車椅子の利用者などにとっても容易に開閉操作できる。
【００６５】
また、この開閉に伴い、ドアパネル３２をスライド・スイングさせる上部の機構は化粧用の外カバー２４、内カバー２５によりその殆どを隠しているので（ドア開時の回転吊りアーム部分を除いて）、美観に影響を与えない。
【００６６】
また、床面に敷設する従来みられたガイドレールが、本実施形態では不要になるので、美観上も好ましいのみならず、昨今のバリアフリーの要請にも的確に応えることができる。とくに、車椅子の利用者にとっては、通過し易いドアになる。一方、ガイドレールに溜まる埃や塵の掃除の手間が不要になるなど、保守面でも優れた効果が得られる。
【００６７】
さらに、回転堅柱３１とドアパネル３２とは「外観の一体化」によりドア閉時には殆ど一体に見える。とくに、その両者の繋ぎ目に違和感を殆ど抱かないほどの一体感を提供できるので、美観上も優れたドア装置になる。従来のように、ドアパネルを保持する支柱を袖壁で隠蔽するなどして美観を保つ必要が無いので、ドア据え付け工事が簡単になり、その分、工事コストの低減も図ることが可能になる。支柱部の保守時には、ドアパネルの一部に見える回転堅柱３１を点検すればよいので、一度、隠蔽した内部までたどり着く手間が省け、保守点検も容易になる。スライド・スイングさせるアームまたは蝶番は回転堅柱に取り付けるので、３方枠体の歪みやがたつきの影響を受け難いという利点もある。
【００６８】
さらに、回転堅柱及び上下の回転吊りアーム、回転下部アームは一体化されて略コ字状の蝶番を形成し、且つ、この蝶番のスイング中心軸（回転支軸）の位置はドアの前後方向の中心位置（ドアパネルの閉時の中心位置）に一致させた、いわゆるオフセットレス構造を採用している。このため、スイング中心軸をドアの前後方向の中心軸からいずれかの方向にずらして設ける、いわゆるオフセット構造のドア装置に比べて、ドア装置はその前後方向にコンパクトになっている。
【００６９】
さらに、双頭の鍵２１を用いているので、上述したようにドアパネル３２の両側端部を同時にロックでき、セキュリティ面も十分に確保でき、かつ、ドア開閉時にラッチが周囲体の側面を擦るということもない。この側面への擦り回避の効果により、回転堅柱や縦枠との隙間を非常に狭く設定することができ、部屋の仕切り性（密閉性、遮音性）をより高めることができるという２次的な効果もある。また、この鍵により、片側で同時に両側を解鍵（または、施鍵および解鍵）でき、便利である。
【００７０】
なお、上述した実施形態において、ドアパネルのサイズや重量、さらにはドアの使用目的によっては、別の鍵構造を採ることもできる。つまり、双頭の鍵２１を用いないで、ドアパネルの片方の側端部にのみ鍵を取り付け、場合によっては、鍵を全く採りつけない構造も可能である。
【００７１】
上述した実施形態の種々の変形例をさらに説明する。
【００７２】
図１２に示す変形例は鍵受けホルダに関する。同図に示すように、鍵受けホルダ８１は、その内部に、鉄材で成るマグネット固定板８２および穴付きマグネット８３を図のように配設し、それらをストロールピン８４が遊挿状態で貫通するようになっている。鍵受けホルダ８１の外側には、別の取り付け枠８５が設けてあり、この枠８５内にマイクロスイッチ８６が設置されている。ストロールピン８４の挿入側先端はマイクロスイッチ８６の切片に当接可能になっている。このため、鍵シャフト８７がホルダ８１内に突出してくると、ストロールピン８４を介してマイクロスイッチ８６を付勢し、オン状態にすることができる。鍵シャフト８７が退避したときには、マイクロスイッチ８６はオフ状態になる。したがって、このマイクロスイッチ８６はドア開閉時の信号を検出することができるので、この信号をセキュリティ管理に応用することができる。
【００７３】
また別の変形例を図１３〜図２０に示す。これらの変形例は、ドアパネル３２と回転堅柱３１との間の隙間を封止する構造及び封止材に関する。
【００７４】
図１３および図１４では、ドアパネル３２に使用する材料は木材である。この場合には、回転堅柱３１にはその材料として鋼材（アルミ材など）を使用するとともに、ドアパネル３２の回転堅柱側の端面部には、鋼材（アルミ材など）で形成された連結縦枠３２ｘを設けることが重要である。この連結縦枠３２ｘの背面には木製ドアパネル３２の反りを防止する、１本または複数本の反り止め用突起条ＪＤがその縦方向に沿って所要長さ分に又はその長さ方向全体に設けられる。これにより、ドアパネル３２が木製であっても、その反りが防止または抑制される。しかも、共に鋼材で形成される回転堅柱３１と連結縦枠３２ｘとにより両者の繋ぎ目の外観上の一体感を与えることができる。なお、回転堅柱３１または連結縦枠３２ｘのいずれかの面に隙間封止材（ゴム、モヘヤなど）ＭＰが取り付けられる。
【００７５】
図１５〜図１８の変形例はいずれも、ドアパネル３２と回転堅柱３１が共に鋼材で形成された構造を示す。この場合、両者の板厚、概観模様などを一体化させる。図１５の例の場合、ドアパネル３２と回転堅柱３１が互いに対向する面はテーパ面構造ＴＰになっており、正面から見てその反対側を見通すことができず、仕切り性が良い。図１６の例の場合、ドアパネル３２と回転堅柱３１が互いに対向する面は縦方向から見て一部湾曲させたＬ字状の面構造ＬＰになっている。また、図１７の例の場合、ドアパネル３２と回転堅柱３１が互いに対向する面は縦方向から見て鍵形の面構造ＫＰになっている。いずれの場合も、正面から見てその反対側を見通すことができず、仕切り性が良い。
【００７６】
この図１７の鍵形面構造の内、ドアパネル１８側の鍵片部分を薄く形成すると、図１８に示す鍵形面構造ＫＰになる。この薄い鍵形面構造によれば、美観的に体裁の良いものになるとともに、高い仕切り性も確保される。
【００７７】
なお、図１５〜１８の対向面構造において、両対向面の何れか一方又は両方にゴムなどの弾性部材を取り付けてもよい。これにより、ドアを閉めるときの接触音や振動の発生を抑制するとともに、ドア閉状態での仕切り性（遮音性）を更に向上させることができる。
【００７８】
さらに、図１９に示すドア装置は、回転堅柱３１の縦枠１１ｓに対向する側面に縦方向に沿って中空のゴム材ＲＢ１を貼り付けるとともに、回転堅柱３１とドアパネル３２とが互いに対向している両者の側面にも縦方向に沿って中空のゴム材ＲＢ２，ＲＢ３を夫々貼り付けたものである。そして、ドア閉状態にて、これらのゴム材が各隙間を略封止状態にするように回転堅柱３１、ドアパネル３２などの寸法が設定されている。これにより、仕切り性の向上は勿論のこと、ドア閉時に誤って指などを挟んだときの衝撃を低減できる。なお、ドアパネル３２の材質としてはアルミ製、スチール製、木製のものが好適であり、一方、回転堅柱３１の材質としてはアルミ製、スチール製のものが好適である。
【００７９】
さらに図２０には、３方枠体１１の上枠１１ｕ側における、吊りレール１４と扉体１３との間の構造の変形例を示す。具体的には、図４及び図５に示す外カバー２４及び内カバー２５の別の例に関する。前述した第１の実施形態では、ドアの外側には外カバー２４を、内側には打ちカバー２５（２５ａ，２５ｂ）を取り付けて、ドア閉時における上枠側の隙間を塞ぐとともに、体裁を保っていた。
【００８０】
これに対し、図２０の変形例によれば、回転堅柱３１の上端に前述と同様に回転吊りアーム１１１を着脱自在なアームカバー１１２で覆うとともに、ドア閉時におけるカバー１１２の残りの隙間部分を塞ぐ固定カバー１１３を設けている。
【００８１】
アームカバー１１２は、その長手方向に直交する断面形状が四角形の中空筒型を成し、その長軸方向の一方の側端面を開放した形状を成す。さらに、アームカバー１１２には、上部ピボットの軸１５ａや開閉動作との干渉を避けるため、その開放側側面の上側の一部を切除した切除部１１２ａを形成し、且つ、ドアパネル吊り用の回転軸３５との干渉を避けるため、その下側の一部をスリット状に切除した切除部１１２ｂを形成している。
【００８２】
取り付け時には、ドア開の状態にしておいて、このアームカバー１１２を回転吊りアーム１１１のドアパネル側の端部から嵌めていけばよい。アームカバー１１２のサイズは、回転吊りアーム１１１を嵌合状態で受け入れるように設定されている。取り外しのときは、ドア開の状態で、アームカバー１１２を取り付け時とは反対の方向に引き抜けばよい。この着脱可能なアームカバー１１２によって、回転吊りアーム１１１やその両方の軸１５ａ、３５の部分の保守点検が容易に行える。
【００８３】
一方、固定カバー１１３は、その長手方向に直交する断面形状が四角形の中空筒型を成し、長手方向の一方の側端面を開放し且つ図示していないが、回転吊りアーム１１１の動きに干渉しない側の側面をドア幅一杯まで延長した形状を成す。この固定カバー１１３は長手方向に直交する短手方向の中心位置を、ドアパネル３２の板厚方向（前後方向）の中心に合わせた状態で上枠１１ｕに固設される。したがって、固定カバー１１３は６輪吊り車１７の軸１７ａがドア幅方向に移動する位置に配設されるので、その軸１７ａとの干渉を避けるために、長手方向に沿ってスリット状の上側、下側切除部１１３ａ，１１３ｂを固定カバー１１３に形成している。この固定カバー１１３のドア前後方向の側面が前述した外カバー、内カバーの機能を果たすことができる。
【００８４】
上述したアームカバー１１２及び固定カバー１１３の材料には、アルミなどの金属製、木製、樹脂製の適宜な材料を選択すればよい。そして、その露出している外表面の模様や色をドアパネル３２や回転堅柱３１のそれと適宜に調和させることで、ドア装置全体としての概観形状の一体化を図り、美観的、体裁的な価値を高めることができる。当然に、ドアパネル３２及び回転堅柱３１の上側の空間はドア閉状態では殆ど完全に塞がれ、良好な仕切り性（遮音性、密閉性）も保持される。
【００８５】
なお、この図２０の変形例はまた、回転吊りアーム１１１の別の構造をも示している。この回転吊りアーム１１１は、その全体形状は前述した回転吊りアーム１８（例えば図６を参照）と殆ど同じであるが、前述のように上側アームと下側アームの２段構造にしない点が相違している。すなわち、回転吊りアーム１１１は１本の長棒で形成され、その一端を上部ピボット１５ａにより回転堅柱３１の上端面に固設され、且つ、もう一端をドアパネル３２の上端面に回転軸３５により回動可能に取り付けられている。この回転軸３５としては、ドアパネル３５に固定され且つアーム１１１内で回動可能に保持できる軸受け構造のものを用いることができる。この回転吊りアーム１１１は、その長手方向の長さは調節できないが、構造の簡単な低コストの部材として使用できる。
【００８６】
（第２の実施形態）
本発明の第２の実施形態に係るスライド・スイング式ドア装置を図２１及び図２２に基づき説明する。なお、これ以降の実施形態において、それまでの実施形態で説明した構成要素と同一または同等の構成要素には同一符号を用いて、その説明を省略または簡略化する。
【００８７】
このスライド・スイング式ドア装置は、扉体を成すドアパネルと回転堅柱とに関する別の構造を実施しており、とくに、ドアパネルと回転堅柱とを一面のドアとして見せることに特徴を有する。
【００８８】
具体的には、図２１及び図２２に示す如く、このスライド・スイング式ドア装置の扉体１２１は、回転堅柱１２２とドアパネル１２３から成る。ドアパネル１２３は、アルミなどの金属製、木製などの材質で形成されるとともに、スイングさせる支軸側の一端部が、その縦方向全体にわたって角柱状に切除された切除部１２３ａが形成されている。この切除部１２３ａが作る空間には、その縦方向に沿って回転堅柱１２２が配置されている。
【００８９】
これにより、図２１に示す如く、このドアパネル１２３を３方枠体１１に設置したときには、その切除部１２３ａがドア前後方向の一方の側に開口して位置するが、もう一方の側には切除されていない面が位置することになる。この実施形態では、切除部１２３ａの側を室外側に、切除されていない面側を室内側になるように設定しているが、その反対に設定してもよい。いずれにしても、ドアパネル１２３の一方の面は、この場合には室内側からドアパネルを見た場合、回転堅柱１２４は見えず、１枚のドアパネルとして見える。
【００９０】
回転堅柱１２２は、例えば金属製の円柱棒状体で形成され、その経は強度的に許容される限度で極力小さい値になっている。回転堅柱１２２を細経にするほど、上述したドアパネル１２３の切除部１２３ａの切除断面は小さくすることができる。図示の如く、切除部１２３ａを室外側から目隠しをするために、縦枠１１ｓにカバー体１２４を取り付けているが、切除部１２３ａを小さくするほど、このカバー体１２４は小さい幅のもので済む。なお、カバー体１２４の少なくとも表面仕上げをドアパネル１２３とマッチングさせておくことで、ドア全体の美観的な一体感を維持できる。
【００９１】
回転堅柱１２２の上下端面夫々には、第１の実施形態のときと同様に、上部ピボット１５及び下部ピボット１６により回転吊りアーム１８及び回転下部アーム１９が夫々固設され、全体として、コ字状のドアパネルスイング機構を形成している。
【００９２】
回転堅柱１２２はその長手方向の一部に、その上下の柱部分１２２ａ及び１２２ｂよりも細経に形成された細経部１２２ｃを有している。この細経部１２２ｃに対向する側壁位置には、細経部１２２ｃを把持する中間ガイド１２５を設けている。
【００９３】
この中間ガイド１２５は、側壁１１ｓに取り付ける基部１２５ｆと、この基部と一体形成され且つ前記回転堅柱１２２の細経部１２２ｃを回動可能に把持するアーム部１２５ａとから成る。基部１２５ｆは、引っ掛け構造又は図示の如くマグネット１２６による着脱自在な取り付け構造により側壁１１ｓに一部埋設して取り付ける。アーム部１２５ａの細経部１２２ｃの外表面に当接する内周部には、摺動性及び対磨耗性に優れた部材を取り付けてある。
【００９４】
このため、回転堅柱１２２にドアパネル１２３の比較的大きな荷重が掛かる場合であっても、中間ガイド１２５によって回転堅柱１２２の撓みや側壁方向への反りが防止され、スムーズで安定したスライド・スイング動作が保証される。
【００９５】
このように本実施形態のスライド・スイング式ドア装置によれば、ドアの一方の面から見た場合、１枚のドア面だけがあたかもスライド動作及びスイング動作しているように見える。つまり、回転堅柱の存在を感じさせないドア開閉が行われる。これにより、美観や体裁を特に重んじる部屋に、このスライド・スイング式ドア装置の１枚ドア面側を充てることによって、前述したドアそのものの優れた機能性に加えて、体裁を著しく重んじたドアを提供することができる。
【００９６】
また、ドアパネルの両側壁との間の隙間は極めて小さい値（数ミリ）に設定できる。したがって、戸当たりを設けなくても、高い仕切り性を維持できる（この実施形態では、ドアパネルの開閉に支障の無い一方のみに戸当たり２２を設けている）。
【００９７】
なお、上述した実施形態において、ドアパネルが比較的軽量であるなどの理由から、回転堅柱に掛かる荷重が相対的に少ないときには、中間ガイドのような支持補強手段を設けなくてもよい。また、この実施形態では双頭の鍵２１を設けるとしているが、この鍵は場合によっては設けない構造のものであってもよい。
【００９８】
さらに、ドアパネルにこれよりも幅広の化粧板体を貼り付け又は固設することで、上述したドアパネルの切除部に相当する空間を形成するようにしてもよい。
【００９９】
（第３の実施形態）
本発明の第３の実施形態に係るスライド・スイング式ドア装置を図２４〜図２６に基づき説明する。
【０１００】
このスライド・スイング式ドア装置は、その全体形状は第１の実施形態のものと同様であるが、回転堅柱に対する支持構造に別の特徴を有する。
【０１０１】
図２４に示す如く、このドア装置の扉体１３は回転堅柱３１とドアパネル３２とを備え、第１の実施形態のときと同様に形成されている。この内、回転堅柱３１は、その上端面を上部ヒンジ機構１３１によって上枠１１ｕに支持させ且つ前述した回転吊りアーム１１１を一体的に取り付け、一方、その下端面を下部ヒンジ機構１３２によって床面及び側壁１１ｓに支持させ且つ回転下部アーム１３３を一体的に取り付けている。
【０１０２】
この上部及び下部ヒンジ機構１３１，１３２としては、例えば従来周知の、商品名「ニューグレビティヒンジ」として知られているヒンジ機構を用いることができる。下部ヒンジ機構１３２は、図２５に示す如く、Ｌ字状の枠側下部ヒンジ１３２ａ及びパネル側下部ヒンジ１３２ｃを備え、このパネル側下部ヒンジには図示しないテーパーハブを内蔵した筒体１３２ｃが立設されている。
【０１０３】
枠側下部ヒンジ１３２ａは縦枠１１ｓ及び床面ＧＬに面を揃えて埋設する。また、パネル側下部ヒンジ１３２ｂの上面には、筒体１３２ｃを貫通させる状態で前記回転下部アーム１３３を一体的に固設する。このアーム１３３はまた回転堅柱３１の下面に固設されている。筒体１３２ｃが回転堅柱３１のスイング動作の支軸位置を成している。
【０１０４】
このため、回転堅柱３１、回転下部アーム１３３、及びパネル側下部ヒンジ１３２ｂは一体として動く構造になっている。パネル側下部ヒンジ１３２ｂは、筒体内に内蔵するテーパーハブに拠って、水平面方向にその高さ位置を変化させながら回転可能になっている。つまり、パネル側下部ヒンジ１３２ｂを図２５に示す如く「閉」位置から略１／４周回転させて「開」まで回転させるとき、その高さが徐々にせり上がりながら回転する（このせり上がりの量は１ｃｍ程度）。反対に、「開」位置から「閉」まで回転させるとき、その高さが自重で徐々に下がりながら「閉」まで回転し、その「閉」位置で自重による拘束を受ける。つまり、スプリングなどを使用しない、自重に拠る自閉タイプの回転ヒンジ機能を有している。
【０１０５】
本実施形態では、後述するようにドアパネル３２の重量は、下部回転アーム１３３を介してこの下部ヒンジ機構１３２が受けるようになっている。このため、下部回転アーム１３３は上述した実施形態のものよりも板厚に形成されている。このアーム１３３のもう一方の端部上面は、ドアパネルとこのアームとの間の相対的な回転を許容する回転軸３８を介して、ドアパネル３２に結合し支持している。
【０１０６】
これに対して、上部ヒンジ機構１３１は、図２５に示す如く、Ｌ字状の枠側上部ヒンジ１３１ａ、筒体１３１ｂ、パネル側上部ヒンジ１３１ｃを備える。筒体１３１ｂは枠側上部ヒンジ１３１ａに立設されている。このヒンジ１３１ａは、縦枠１１ｓ及び上枠１１ｕの所定位置に面を揃えて埋設固定される。このとき、ヒンジ１３１ａの筒体１３１ｂは垂直下向きに、しかも前述した下部ヒンジ機構１３２の筒体１３２ｃと位置合わせされており、これによりスイング時の支軸が形成されている。
【０１０７】
また、パネル側上部ヒンジ１３１ｃは、筒体１３１ｂを貫通させた状態でこの筒体から横方向に延設されている。つまり、ヒンジ１３１ｃは筒体１３１ｂに対して回動且つ上下動自在になっている。このパネル側上部ヒンジ１３１ｃの下面には、筒体１３１ｂを貫通させる状態で前記回転吊りアーム１１１を一体的に固設する。このアーム１１１はまた回転堅柱３１の上面に固設されている。
【０１０８】
このため、回転堅柱３１、回転吊りアーム１１１、及びパネル側上部ヒンジ１３１ｃは一体として動く構造になっている。前述したように、ドアパネル３２の「閉」位置及び「開」位置間の回動に伴ってドアパネル自体の縦方向の高さ位置が徐々に変化するが、この変化分（約１ｃｍ程度）は、一体として動く回転吊りアーム１１１及びパネル側上部ヒンジ１３１ｃの枠側上部ヒンジ１３１ａに対する隙間の変化で吸収される。
【０１０９】
このドアパネル３２はスライド・スイング動作に伴って上下動も合わせて行うので、ドアパネル３２の上面におけるもう一方の略１／３の幅位置に設けてある軸１７ａ（図１参照）は、その頭部に回転ころ１３４を回動自在に取り付けてある。この回転ころ１３４は、図２６に示す如く、吊りレール１４内にその一部が挿入され且つレール１４の溝に沿って案内される。回転ころ１３４の高さ方向の位置は、ドアパネル３２の高さが変化しても、その変化分を吸収できるように余裕を持たせている。
【０１１０】
このように本実施形態のドア装置によっても、前述した実施形態と同様に回転堅柱３１をドアパネル３２に外観的に一体化させることができる。そのほか、スライド・スイング式の開閉によるコンパクトな開閉動作も維持できるなど、前述した実施形態の作用効果を享受することもできる。
【０１１１】
加えて、この実施形態の場合、上部及び下部ヒンジ機構１３１、１３２によって、ドアパネルを開閉できる。取っ手２０ａ又は２０ｂを所定の力で操作することで、ドアパネル３２が徐々にせり上がりながら「開」位置まで開かれる。閉めるときには、僅かな力を加えるだけで、ドアパネル３２は自重で「閉」位置まで自走し、「閉」位置で拘束される。このため、ドアパネル３２は開けっ放しになることがない（つまり、閉めきりの状態を維持できる）。
【０１１２】
なお、下部ヒンジ機構１３２における筒体１３２ｃ内のテーパーハブの向きを変えることによって、開閉方向及び自走方向が変えられる。つまり、ドア開時に自走開放させ、積極的に開けっ放しの状態をつくることもできる。
【０１１３】
また、このドア装置では、ドアパネル３２はその開閉時に上下動するので、ドアパネル３２の上下方向に前述した実施形態のものよりは大きな空きスペース（隙間）が必要となる。しかし、自走式の閉動作又は開動作に拠って、トイレブース、湯沸し室、ロッカールーム、カウンター、簡易な間仕切りなどに好適に使用することができる。
【０１１４】
なお、この実施形態では双頭の鍵２１を設けるとしているが、この鍵は場合によっては設けない構造のものであってもよい。
【０１１５】
（第４の実施形態）
本発明の第４の実施形態に係るスライド・スイング式ドア装置を図２７〜図２８に基づき説明する。
【０１１６】
このスライド・スイング式ドア装置は、自動的にドアパネルを開閉できるようにした自動化ドア構造に関する。
【０１１７】
図２７に示すように、このドア装置は、３方枠体１１の上枠１１ｕ内に交流１００Ｖのトルクモータ９１を横向きに備え、このモータ９１の回転軸は減速機９２および直角ギヤ９３を介して下向きの駆動軸９４に連結されている。この駆動軸９４は回転軸９５に剛結され、この回転軸９５は吊りレール１４を遊挿して回転吊りアーム９６、スペーサ３３および回転堅柱３１に剛結されている。モータ９１は回転制御用のコントロールボックス９７に接続され、駆動信号を受ける。このコントロールボックス９７には人の出入りを磁気的、電気的、または圧力式などの手法で検知するセンサ９８が接続されており、かかる出入りの検知信号を受ける。コントロールボックス９７はマイコンまたはデジタル回路で構成され、出入りの検知信号に応じて駆動信号をモータ９１に送る。これにより、電動モータ９１が回転し、この回転力を減速機９２、ギヤ９３、駆動軸９４および回転軸９５を介して回転堅柱３１に伝える。
【０１１８】
回転堅柱３１に対して、ドアパネル３２が前述と同様の構造の回転吊りアーム９６により吊持されている。具体的には、回転吊りアーム９６の先端側所定位置にて上部吊り回転軸９９により吊り下げられている。この回転軸９９はドアパネル３２の荷重の約半分を負担すると一方で、ドアパネル３２には固定状態で、かつ回転吊りアーム９６には回転自在に設けられている。この軸９９の途中には第１のギヤ１００が固設されている。また、回転吊りアーム９６のさらに先端寄りの位置（図２７における幅方向右側の位置）には、垂下させた固定軸を介して回転自在な第２のギヤ１０１が第１のギヤ１００と噛み合う状態で設けられている。
【０１１９】
さらに、ドア閉状態において前記第１のギヤ１００よりも所定距離だけ回転堅柱寄りの所定位置に対応するドアパネル３２の上端面には固定軸を垂設し、この固定軸に回転自在に第３のギヤ１０２を取り付けてある。
【０１２０】
このため、電動モータ９１が定格値よりも低い所定パワー値で拘束運転をしてドア閉状態にある図２８（ａ）の状態から、出入りを検知したことに伴って同モータが定格パワー値で回転すると、その回転力によってドアパネル１４は同図（ｂ）の位置までスライドおよびスイングしてドア開状態となり、ドア開時の拘束運転に移行する。モータが反対に回転すると、同図（ｂ）から同図（ａ）のパネル位置に戻ってドア閉状態になる。
【０１２１】
このドア開閉動作において、第１〜第３のギヤ１００〜１０２を設けていない場合、ドア開時には問題とならないが、ドア閉時にはアーム先端の上部吊り回転軸９９と６輪吊り車１７の吊り軸１７ａとの間に逆起電力に伴う逆向き力が働き、ドアが正常に開かない現象が発生する。この逆向きの力を回避するために、第１〜第３のギヤ１００〜１０２が設けられており、ドア閉時に逆向きの力が回避され、スムーズにドア閉状態に向かう。
【０１２２】
なお、上述した逆向きの力を回避するために設けるギヤ列の内、第３のギヤ１０２を省略して第１および第２のギヤ９９および１００のみの２個のギヤから成るギヤ列で構成してもよい。
【０１２３】
このように自動化することにより、前述した第１の実施形態で享受できる各種の利点に加えて、ドア開閉の手動操作が不要になり、車椅子での出入りなどが容易になるという、高福祉化社会のニーズに応え得るスライド・スイング式ドア装置を提供することができる。
【０１２４】
なお、上述した自動化機構において、電動モータの代わりに、油圧アクチュエータ、空気圧アクチュエータなどの駆動装置を使用してもよい。
【０１２５】
さらに、本発明は前述した実施形態のものに限定されることなく、請求項記載の発明の要旨を逸脱しない範囲で適宜に更に変形可能である。例えば、上述してきた実施形態及びその変形例において、枠体に対する回転堅柱とドアパネルの幅方向の位置を交換して、室内側及び室外側に対するドア開閉の向きを上述したものと反対にしてもよい。
【０１２６】
【発明の効果】
以上説明したように、本発明にかかるスライド・スイング式ドア装置によれば、ドアに本来的に求められている良好な仕切り性（密閉性、遮音性）、開閉操作の容易化、開閉時の省スペース化、装置全体としてのコンパクト化の確保に加え、立て付け工事や保守が容易で、美観的にも優れ、かつバリアフリーなどの使い勝手の面からも優れた効果を発揮でき、高福祉化社会のニーズにマッチしたドア装置を提供することができる。
【図面の簡単な説明】
【図１】  本発明の第１の実施形態に係るスライド・スイング式ドア装置の構成を示す概略正面図。
【図２】  図１におけるＩＩ−ＩＩ線に沿った概略断面図。
【図３】  図１におけるＩＩＩ−ＩＩＩ線に沿った概略断面図。
【図４】  図１におけるＩＶ−ＩＶ線に沿った概略断面図。
【図５】  図１におけるＶ−Ｖ線に沿った概略断面図。
【図６】  回転吊りアームを示す斜視図。
【図７】  回転吊りアーム付近の吊り構造を示す一部破断した正面図。
【図８】  図１におけるＶＩＩＩ−ＶＩＩＩ線に沿った概略断面図。
【図９】  図１におけるＩＸ―ＩＸ線に沿った概略断面図。
【図１０】  マグネット構造の双頭の鍵を示す概略断面図。
【図１１】  ドアパネルの開閉の様子を説明する説明図。
【図１２】  鍵受けホルダの変形例を説明する断面図。
【図１３】  回転堅柱およびドアパネルの変形例を説明する図。
【図１４】  図１４における回転堅柱およびドアパネルの繋ぎ目部分の拡大図。
【図１５】  回転堅柱およびドアパネルの別の変形例を説明する図。
【図１６】  回転堅柱およびドアパネルの別の変形例を説明する図。
【図１７】  回転堅柱およびドアパネルの別の変形例を説明する図。
【図１８】  回転堅柱およびドアパネルの別の変形例を説明する図。
【図１９】  回転堅柱およびドアパネルの別の変形例を説明する図。
【図２０】  回転堅柱およびドアパネルの上側に位置するカバー構造の変形例を説明する図。
【図２１】  本発明の第２の実施形態に係るスライド・スイング式ドア装置の構成を示す概略上面図で、図２２のＡ−Ａ線に沿った図。
【図２２】  第２の実施形態に係るドア装置の一部破断した部分正面図。
【図２３】  図２２のＢ−Ｂ線に沿った部分断面図。
【図２４】  本発明の第３の実施形態に係るスライド・スイング式ドア装置の構成を示す概略正面図。
【図２５】  上部及び下部ヒンジ機構を説明する斜視図。
【図２６】  図２４中のＣ−Ｃ線に沿って破断して示す概略断面図。
【図２７】  本発明の第４の実施形態に係る自動化されたスライド・スイング式ドア装置の部分構成を示す概略正面図。
【図２８】  第４の実施形態に係るドアパネル開閉を説明する図。
【符号の説明】
１１  ３方枠体
１１ｕ  上枠
１１ｓ  縦枠
１２  床面
１３  扉体
１４  吊りレール
１５  上部ピボット
１６  下部ピボット
１７  ６輪吊り車
１８  回転吊りアーム
１９  回転下部アーム
２１  双頭の鍵
３１  回転堅柱
３２  ドアパネル
３５、３８  軸
１１１  回転吊りアーム
１２１  扉体
１２２  回転堅柱
１２３  ドアパネル
１２５  中間ガイド
１３１  上部ヒンジ機構
１３２  下部ヒンジ機構
１３３  下部回転アーム
１３４  回転ころ
【図１】
0003673115.tif 000002
【図２】
0003673115.tif 000003
【図３】
0003673115.tif 000004
【図４】
0003673115.tif 000005
【図５】
0003673115.tif 000006
【図６】
0003673115.tif 000007
【図７】
0003673115.tif 000008
【図８】
0003673115.tif 000009
【図９】
0003673115.tif 000010
【図１０】
0003673115.tif 000011
【図１１】
0003673115.tif 000012
【図１２】
0003673115.tif 000013
【図１３】
0003673115.tif 000014
【図１４】
0003673115.tif 000015
【図１５】
0003673115.tif 000016
【図１６】
0003673115.tif 000017
【図１７】
0003673115.tif 000018
【図１８】
0003673115.tif 000019
【図１９】
0003673115.tif 000020
【図２０】
0003673115.tif 000021
【図２１】
0003673115.tif 000022
【図２２】
0003673115.tif 000023
【図２３】
0003673115.tif 000024
【図２４】
0003673115.tif 000025
【図２５】
0003673115.tif 000026
【図２６】
0003673115.tif 000027
【図２７】
0003673115.tif 000028
【図２８】
0003673115.tif 000029